(57)【特許請求の範囲】
【請求項１】
一対の半円状のバンド片が互いに接合するための固定部材が取り付けられる固定部材取付部を両端に有する本体部分を備え、電柱を介して互いに対向させて該電柱の外部側面に設けられる電柱用バンドであって、
上記バンド片の本体部分のうち少なくとも一方は、
上記本体部分の長手方向に延びたボルト取り付け用の開口部と、
上記開口部に対応した上記本体部分に設けられ、上記ボルトを上記バンド片に安定して取り付けるための溝部と、
上記開口部および上記溝部に対応する位置に、上記ボルトを取り付ける位置の角度を確認するための角度表示部とを有することを特徴とする電柱用バンド。
【発明の詳細な説明】
【技術分野】
【０００１】
この発明は、例えば、電線を電柱に引き留めるために使用される電柱用バンドに関する。
【０００２】
詳しくは、この発明は、バンド片の本体部分に、所定間隔をおいてボルト取り付け用の複数の開口部が設けられるか、または長手方向に伸びたボルト取り付け用の開口部が設けられることによって、例えば、電柱が施設された電線路が一直線状ではない場合、または複数方向に分岐している場合でも、電柱に複数のバンドを取り付ける必要がなくなるため工事の費用を低く抑えるとともに、美観を損ねることなく、電線を引き留めることを可能とした電柱用バンドに係るものである。
【背景技術】
【０００３】
図８は、従来の電柱用バンド５０が取り付けられた電柱１００を示した図である。図８に示すように、電線は、２つのクランプ４０Ａ，４０Ｂによって挟み込まれることで固定され、２つの碍子３０Ａ，３０Ｂ、２つの低圧ラック３１Ａ，３１Ｂを介して、それぞれ電柱１００Ａに引き留められていた。
【０００４】
図９は、従来の電柱用バンド５０の拡大図である。図９に示すように、電柱用バンド５０は一対のバンド片で構成され、それぞれ電柱１００Ａの外部側面に対応した半円状であり、電柱１００を介して対向させられ、電柱１００Ａをはさむように密着させられて取り付けられる。
【０００５】
各バンド片の本体部分５０Ａ´，５０Ｂ´の長手方向の端部、つまり左右の各端部にはそれぞれ固定部材取り付け部が連設されており、これらに設けられた穴にボルトをはめ込み、ナットで固定することでバンド片５０Ａおよびバンド片５０Ｂをしっかりと固定する。
【０００６】
また、各バンド片の本体部分５０Ａ´，５０Ｂ´には、それぞれ２つの碍子を取り付けるために、それぞれ２つの開口部５１Ａ，５１Ｂが互いに対向する位置に設けられていたため、電線路が一直線状に施設されていた場合に、この電柱用バンド５０を用いて電線６０を電柱１００Ａに容易に引き留めることができた。
【０００７】
特許文献１には、上述したような、一対のバンド片で構成され、各バンド片の対向する位置にそれぞれ１つずつ開口部が設けられた電柱用バンドが記載されている。
【０００８】
【特許文献１】特開平９−２９４３２６号公報
【発明の開示】
【発明が解決しようとする課題】
【０００９】
しかし、特許文献１の電柱用バンドは、上述したように、互いに対向する位置にボルト取り付け用の開口部が１つずつしか設けられていなかったため、電柱１００Ａが施設された電線路が一直線状ではない場合、例えば、電線路が直角に施設してある場合は、電柱１００Ａに電柱用バンド５０を複数個取り付けることによって、対処していた。このため、取り付け工事費用が嵩んだ上、電柱１００Ａに複数の電柱用バンド５０が取り付けられることによって、美観を損ねた。
【００１０】
この発明の目的は、電線が施設された電線路が一直線状ではない場合、または複数に分岐している場合でも、電柱への電線の引き留め工事の費用を低く抑えるとともに、美観を損ねることなく、電線を電柱に引き留め可能にすることある。
【課題を解決するための手段】
【００１１】
上述の課題を解決するために、本発明に係る電柱用バンドは、一対の半円状のバンド片が互いに接合するための固定部材が取り付けられる固定部材取付部を両端に有する本体部分を備え、電柱を介して互いに対向させて該電柱の外部側面に設けられる電柱用バンドであって、バンド片の本体部分のうち少なくとも一方は、本体部分の長手方向に延びたボルト取り付け用の開口部と、開口部に対応した本体部分に設けられ、ボルトをバンド片に安定して取り付けるための溝部と、開口部および溝部に対応する位置に、ボルトを取り付ける位置の角度を確認するための角度表示部とを有することを特徴とするものである。
【００１２】
この発明において、電柱用バンドは、一対のバンド片から構成される。一対のバンド片は、電柱の外部側面に合わせた半円状の形であり、電柱を介して対向させて、電柱の外部側面に取り付けられる。バンド片は、それぞれ本体部分の各端部に固定部材取り付け部を備えており、これらに固定部材が取り付けられることによって、電柱に固定される。
【００１３】
これら２つのバンド片のうち、少なくとも一方のバンド片の本体部分には、所定間隔毎に複数、例えば、２つのボルト取り付け用の開口部が設けられている。開口部は、例えば、電線を引き留めるための低圧ラックを固定するためのボルトを取り付けるためのものであり、当該ボルトが入る程度の径とされている。
【００１４】
この電柱用バンドを用いれば、例えば、電線路が一直線状に施設されていない場合、または複数に分岐している場合でも、電線の方向に合った開口部に低圧ラックを固定して電線を引き留めればよいので、一つの電柱に複数の電柱用バンドを設置する必要がなく、取り付け工事の費用を低く抑えるとともに、美観を損ねることがない。
【００１５】
また、少なくとも一方のバンド片に複数の開口部を設けるのではなく、少なくとも一方のバンド片に長手方向に伸びたボルト取り付け用の開口部を設ける構成とすれば、電柱が施設された電線路が一直線状ではない場合でも、上述した複数の開口部が設けられたバンドと同様に、容易に対応することができる。この場合、ボルトは、電線の方向に合わせた開口位置に取り付けられ、その位置に低圧ラックが固定される。
【００１６】
また、開口部にボルトを取り付ける際、電柱の中心からの角度を確認することができるように、バンド片の本体部分の、開口部に対応した位置に角度表示がされていてもよい。このような角度表示をすることによって、作業者は、ボルト、つまり低圧ラックを固定する位置を、角度を確認しながらより正確に、かつ容易に取り付けることができる。
【発明の効果】
【００１７】
この発明によれば、バンド片の本体部分に、所定間隔をおいてボルト取り付け用の複数の開口部が設けられるか、または長手方向に伸びたボルト取り付け用の開口部が設けられるものであり、電柱が施設された電線路が一直線状ではない場合、または複数に分岐している場合でも、バンドの取り付け工事の費用を低く抑えるとともに、美観を損ねることなく、電線を引き留めることができる。また、表示部を有することで、例えば低圧ラックを開口部に、より正確にかつ容易に取り付けることができる。
【発明を実施するための最良の形態】
【００１８】
以下、図面を参照しながら、この発明の実施の形態について説明する。
【００１９】
図１は、第１の実施の形態としての、電柱用バンド１０の構成を示す図である。以下、図１を用いて電柱用バンド１０の構成を説明する。
【００２０】
図１に示すように、電柱用バンド１０は、一対のバンド片１０Ａおよびバンド片１０Ｂで構成されている。バンド片１０Ａおよびバンド片１０Ｂは、電柱１００の外部側面に対応した半円状であり、電柱１００を介して対向させられ、電柱１００をはさむように、密着させられて取り付けられる。
【００２１】
バンド片１０Ａおよびバンド片１０Ｂの本体部分１０Ａ´および１０Ｂ´の長手方向の端部、つまり、左右の各端部にはそれぞれ、固定部材取り付け部１７Ａ，１７Ｃおよび固定部材取り付け部１７Ｂ，１７Ｄが連設されている。固定部材取り付け部１７Ａ〜１７Ｄには、ボルト取り付け用の穴１８Ａ〜１８Ｄが設けられており、対向する位置にある固定部材取り付け部１７Ａ，１７Ｂおよび固定部材取り付け部１７Ｃ，１７Ｄにそれぞれボルト１２をはめ込み、ナット１３を用いて固定することによって、バンド片１０Ａおよびバンド片１０Ｂを電柱１００にしっかりと固定する。
【００２２】
本体部分１０Ａ´および本体部分１０Ｂ´にはそれぞれ、開口部１１Ａ，１１Ｃおよび開口部１１Ｂ，１１Ｄが設けられている。開口部１１Ａおよび開口部１１Ｄは、それぞれ電柱１００を介して対向する位置にあり、開口部１１Ｂおよび開口部１１Ｃは、それぞれ電柱１００を介して対向する位置にある。
【００２３】
図２は、バンド片１０Ａの開口部１１Ａおよび開口部１１Ｃを拡大した図である。図２に示すように、開口部１１Ａおよび開口部１１Ｃには、それぞれ後述するボルト１５が取り付けられ、それぞれボルト１５を安定させて取り付けるための安定溝１１ａ，１１ｃが設けられている。開口部１１Ａおよび開口部１１Ｃは、いずれも同じ大きさであり、固定部材取り付け部１７Ａおよび固定部材取り付け部１７Ｃの間に設けられている。
【００２４】
また、バンド片１０Ｂの開口部１１Ｂ，１１Ｄにも同様に、後述するボルト１５を安定して取り付けるための安定溝１１ｂ，１１ｄがそれぞれに設けられている。なお、安定溝１１ａ〜１１ｄは、開口部１１Ａ〜１１Ｄにボルト１５がしっかりと固定されれば、特になくてもよい。
【００２５】
以下、図３を用いて、これら開口部１１Ａおよび開口部１１Ｃに低圧ラック１４Ａおよび１４Ｃが取り付けられる場合について説明する。
【００２６】
図３は、開口部１１Ａおよび開口部１１Ｃに、碍子を取り付けるための低圧ラック１４Ａおよび低圧ラック１４Ｃを取り付けた図である。開口部１１Ａおよび開口部１１Ｃに取り付けられた低圧ラック１４Ａおよび低圧ラック１４Ｃには、碍子が取り付けられる。低圧ラック１４Ａは、ボルト１５およびナット１６を用いて開口部１１Ａに固定される。また、低圧ラック１４Ｃはボルト１５およびナット１６を用いて開口部１１Ｃに固定される。
【００２７】
図示しないが、バンド片１０Ｂの開口部１１Ｂ，１１Ｄにも同様に、ボルト１５およびナット１６を用いて低圧ラックを固定できる。
【００２８】
図４は、電柱１００および隣接する２つの電柱２００、電柱３００の配置例を示している。図４に示すように、電柱１００は直角の電線路に施設された電柱である。
【００２９】
このような直角の電線路に施設された電柱１００でも、電柱用バンド１０を用いれば、作業者は、例えば、バンド片１０Ａの開口部１１Ｃを電柱２００の方向に合わせて低圧ラック１４Ｃを固定し、電柱３００の方向にある開口部１１Ｄに低圧ラックを固定して、この低圧ラックに取り付けられた碍子から、電線を電柱３００に張架すればよいので、従来のように、電柱１００に複数の電柱用バンドを取り付ける必要がない。
【００３０】
このように、バンド片１０Ａおよびバンド片１０Ｂに、それぞれ２つずつ開口部１１Ａ〜１１Ｄが設けられることによって、電線の方向に対応した開口部を使用できるので、電柱１００が図４に示すような直角の電線路に施設されている場合、または、電線が三方に分岐する場合でも、作業者は、電柱１００に電柱用バンド１０を一つ取り付けるだけでよいので、作業に無駄がない。また、複数の電柱用バンド１０を取り付ける必要がないので、美観を損なわせることがない上、コストを低く抑えることができる。
【００３１】
次に、図５を用いて、第２の実施の形態について説明する。
【００３２】
図５は、第２の実施の形態としての、電柱用バンド２０の構成を示す図である。図５に示すように、電柱用バンド２０は、一対のバンド片２０Ａおよびバンド片２０Ｂで構成されている。バンド片２０Ａおよびバンド片２０Ｂは、バンド片１０Ａおよびバンド片１０Ｂと同様に、電柱１００の外部側面に対応した半円状であり、電柱１００をはさむように密着させられて固定される。
【００３３】
バンド片２０Ａおよびバンド片２０Ｂの本体部分２０Ａ´，２０Ｂ´の長手方向の端部、つまり左右の各端部には、固定部材取り付け部２７Ａ，２７Ｃおよび固定部材取り付け部２７Ｂ，２７Ｄが連設されている。固定部材取り付け部２７Ａ〜２７Ｄには、ボルト取り付け用の穴２８Ａ〜２８Ｄが設けられており、互いに対向する位置にある固定部材取り付け部２７Ａ，２７Ｂおよび固定部材取り付け部２７Ｃ，２７Ｄの穴２８Ａ〜２８Ｄにそれぞれボルト２２をはめ込み、ナット２３を用いて固定することによって、バンド片２０Ａおよびバンド片２０Ｂを電柱１００にしっかりと固定する。
【００３４】
本体部分２０Ａ´および２０Ｂ´には、長手方向に伸びた開口部２１Ａおよび開口部２１Ｂが設けられている。開口部２１Ａおよび開口部２１Ｂは、それぞれ電柱１００を介して対向した位置にある。
【００３５】
図６は、開口部２１Ａを拡大した図である。図６に示すように、開口部２１Ａには、ボルト２５を安定させて取り付けるための安定溝２１ａが設けられている。開口部２１Ａは、長手方向に伸びており、固定部材取り付け部１７Ａから固定部材取り付け部１７Ｂまでの間に設けられている。このように開口部２１Ａは左右に伸びた構成となっているので、作業者は、電線の方向に合わせてボルト２５を開口部で左右方向に自由にスライドさせることができる。また、安定溝２１ａも、開口部２１Ａに対応した大きさとなっている。
【００３６】
図示しないが、バンド片２０Ｂの開口部２１Ｂも、開口部２１Ａと同じ大きさであり、同様に、安定溝２１ｂが設けられている。なお、安定溝２１ａおよび２１ｂは、特になくてもよい。
【００３７】
以下、図７を用いて、開口部２１Ａに低圧ラック２４Ａが取り付けられる場合について説明する。
【００３８】
図７は、開口部２１Ａに、碍子を取り付けるための低圧ラック２４Ａを取り付けた図である。低圧ラック２４Ａは、ボルト２５およびナット２６を用いて開口部２１Ａに固定されている。
【００３９】
また、図示しないが、開口部２１Ｂにも同様に、ボルト２５およびナット２６を用いて、低圧ラックを固定できる。
【００４０】
このように、作業者は、電柱１００が、図４に示すような、直角の電線路に施設されている場合でも、電線が三方に分岐する場合でも、バンド片２０Ａおよびバンド片２０Ｂを用いれば、例えば、バンド片２０Ａの開口部２１Ａに取り付けたボルト２５を電柱２００の方向に合わせてスライドさせて、ナット２６で低圧ラック２４Ａを固定し、開口部２１Ｂに取り付けたボルト２５を電柱３００の方向にスライドさせて、ナット２６で低圧ラックを固定することで、容易に電線を張架することができ、従来のように、複数の電柱用バンドを電柱１００に取り付ける必要がない。
【００４１】
また、予め取り付け側の電柱３００を含む電線路の設計図等がある場合は、電柱１００から電柱３００までの電線を引き留める際の角度を確認することができるように、角度表示をして、その角度に合わせて、低圧ラック２４Ａを取り付けられるようにすれば、より便利である。図５に示すように、低圧ラック２４Ａを取り付ける位置の角度を測定するための目盛を、開口部２１Ａおよび開口部２１Ｂに設けてもよい。
【００４２】
図５に示すように、目盛は、電柱の中心を中心として、開口部１１Ａおよび開口部１１Ｂの中央を９０°としている。このように、作業者は、開口部１１Ａおよび開口部１１Ｂに設けられた目盛を見ながら、設計図等に記された角度に基づいて、低圧ラック２４Ａを開口部２１Ａに、より正確にかつ容易に取り付けることができる。
【００４３】
なお、上述の第１の実施の形態においては、バンド片１０Ａおよびバンド片１０Ｂに開口部を２つずつ設けたが、開口部は各バンド片に２つ以上あれば、いくつ設けられていてもよい。
【００４４】
また、上述の第１および第２の実施の形態においては、電柱用バンド１０，２０を一対のバンド片１０Ａ，１０Ｂおよびバンド片２０Ａ，２０Ｂで構成されるようにし、電柱に固定する際に左右に設けられた固定部材取り付け部にそれぞれボルト１２，２２を取り付けることによって、固定されるようにしたが、電柱１００の外部側面に対応した円状の一つのバンドで構成されるようにしてもよい。
【００４５】
この場合、電柱用バンド１０および電柱用バンド２０は、Ｃ字型の構成であり、端部を例えば、ボルトおよびナットを用いて接続することによって、電柱１００に固定される。
【００４６】
また、上述の第１および第２の実施の形態においては、バンド１０およびバンド２０を、低圧ラックを取り付けるために用いたが、アームタイ、あるいはその他のものを取り付けるために用いてもよい。
【００４７】
また、上述の第１および第２の実施の形態においては、バンド片１０Ａおよびバンド片１０Ｂ、バンド片２０Ａおよびバンド片２０Ｂをそれぞれ同じ構成としたが、一方のバンド片がバンド片１０Ａ（１０Ｂ）、またはバンド片２０Ａ（２０Ｂ）であれば、他方のバンド片は、従来の電柱用バンド５０のように、予めボルトを固定する位置が一箇所に決まっていてもよい。
【００４８】
このように、一方のバンド片にボルト取り付け用の開口部が複数設けられているか、または、長手方向に伸びたボルト取り付け用の開口部が設けられていれば、上述した実施の形態と同様に、電柱１００が施設された電線路が一直線状ではない場合にも容易に対応することができる。
【産業上の利用可能性】
【００４９】
この発明は、ボルトを取り付けるための複数の開口部、または、ボルトを長手方向に伸びたボルト取り付け用の開口部を備えた電柱用バンドであり、一直線状でない、または複数に分岐している電線路に施設された電柱に電線を引き留める際に適用することができる。
【図面の簡単な説明】
【００５０】
【図１】第１の実施の形態としての電柱用バンド１０の構成を示した図である。
【図２】開口部１１Ａの拡大図である。
【図３】開口部１１Ａ，１１Ｃにそれぞれ低圧ラック１４Ａ，１４Ｃを取り付けた図である。
【図４】３つの電柱を通る電線の電線路を示した上面図である。
【図５】第２の実施の形態としての電柱用バンド２０の構成を示した図である。
【図６】開口部２１Ａの拡大図である。
【図７】開口部２１Ａに低圧ラック２４Ａを取り付けた図である。
【図８】従来の電柱用バンド５０が取り付けられた電柱１００Ａを示した図である。
【図９】従来の電柱用バンド５０を示した図である。
【符号の説明】
【００５１】
１０，２０，５０…電柱用バンド、１０Ａ，１０Ｂ，２０Ａ，２０Ｂ…バンド片、１０Ａ´，１０Ｂ´，２０Ａ´，２０Ｂ´，５０Ａ´，５０Ｂ´…本体部分、１１Ａ，１１Ｂ，１１Ｃ，１１Ｄ，２１Ａ，２１Ｂ，５１Ａ，５１Ｂ…開口部、１１ａ，１１ｂ，１１ｃ，１１ｄ，２１ａ，２１ｂ…安定溝、１２，１５，２２，２５…ボルト、１３，１６，２３，２６…ナット、１４Ａ，１４Ｃ，２４Ａ，３１Ａ，３１Ｂ…低圧ラック、１７Ａ〜１７Ｄ，２７Ａ〜２７Ｄ…固定部材取り付け部、１８Ａ〜１８Ｄ，２８Ａ〜２８Ｄ…穴、３０Ａ，３０Ｂ…碍子、４０Ａ，４０Ｂ…クランプ、１００，１００Ａ，２００，３００…電柱
【図１】
0004731284.tif 000002
【図２】
0004731284.tif 000003
【図３】
0004731284.tif 000004
【図４】
0004731284.tif 000005
【図５】
0004731284.tif 000006
【図６】
0004731284.tif 000007
【図７】
0004731284.tif 000008
【図８】
0004731284.tif 000009
【図９】
0004731284.tif 000010